(57)【要約】【課題】双方向番組において、放送局側で排他制御がかけられていないキーの入力を視聴者側で無効化設定することができるキー入力限定方法を提供すること。【解決手段】双方向番組の放送波を受信し、当該放送波に含まれる番組情報を取得する。この番組情報を解析して、再生される双方向番組において排他的に用いられる番組使用キーの情報を取得する。次に、当該番組使用キー以外の入力キーを無効化するか否かについて、問い合わせメッセージを表示する。そして、当該問い合わせメッセージに対して、無効化する旨の返答を利用者が返した場合は、番組使用キー以外のキーの入力を無効化する。【選択図】図１
2007266859.tif 000002
【特許請求の範囲】
【請求項１】
双方向番組を受信して再生する受信装置で用いられるキー入力限定方法であって、
受信した双方向番組の放送波から番組情報を取得する番組情報取得ステップと、
前記番組情報を解析して、再生される双方向番組において排他的に用いられる番組使用キーの情報を取得する限定キー取得ステップと、
前記番組使用キー以外の入力キーを無効化するか否かを利用者からの入力に基づいて判定する限定確認ステップと、
前記限定確認ステップが前記番組使用キー以外の入力キーを無効化すると判定したとき、当該番組使用キー以外の入力キーの入力を無効化する無効化ステップとを備える、キー入力限定方法。
【請求項２】
前記番組が終了したときに、前記無効化ステップにおいて無効化されたキーの無効化を解除する自動キー限定解除ステップを更に備える、請求項１に記載のキー入力限定方法。
【請求項３】
前記番組が終了するより前に、前記無効化ステップにおいて無効化されたキーの無効化を任意のタイミングで解除するための任意キー限定解除ステップを更に備える、請求項１に記載のキー入力限定方法。
【請求項４】
前記番組が終了するより前に、前記無効化ステップにおいて無効化されたキーの無効化を任意のタイミングで解除するための任意キー限定解除ステップと、
前記番組が終了したときに、前記無効化ステップにおいて無効化されたキーの無効化を解除する自動キー限定解除ステップとを更に備える、請求項１に記載のキー入力限定方法。
【請求項５】
前記任意キー限定解除ステップは、前記入力キーのうち所定のキーが所定時間以上継続して押し続けられたときに、前記無効化されたキーの無効化を解除する、請求項３または４に記載のキー入力限定方法。
【発明の詳細な説明】
【技術分野】
【０００１】
本発明は、デジタル放送における双方向番組の視聴に関し、より特定的には、双方向番組の視聴におけるリモコン等のキー入力の限定方法に関する。
【背景技術】
【０００２】
現在、例えばＢＳデジタル放送などにおいて、双方向番組が提供されている。双方向番組とは、テレビのリモコン等を用いた、個々の視聴者からのリアクション（クイズの解答、リクエスト、アンケート、商品注文など）を、リアルタイムで放送局側が受け取ることができる、データ放送に付随する双方向システムを利用した番組である。そして、このようなデータ放送のコンテンツは、データ放送向けのページ記述言語であるＢＭＬ（Ｂｒｏａｄｃａｓｔ  Ｍａｒｋｕｐ  Ｌａｎｇｕａｇｅ）で記述されている。放送局は、このＢＭＬ文書と、静止画や文字情報等のモノメディアデータ群との双方を配信し、デジタル放送対応テレビで表示させる。また、この際の送出方式として、データ・カルーセル伝送方式が用いられている。データ・カルーセル方式では、同一データを一定期間繰り返し送ることで、受信端末が任意のタイミングで必要なデータを取得することを可能としている。また、データカルーセル方式では、上記ＢＭＬ文書とモノメディアデータ群とを「モジュール」と呼ばれる単位に分けて、繰り返し伝送する。
【０００３】
このような双方向番組では、放送局側で番組を配信する際に、その番組内で使用できるリモコン等のキーの限定をかけることができる。例えば、リモコンの数字キーは、通常は選局に割り当てられている。これを、例えばクイズ番組の場合、クイズの解答に使用させるために排他制御をかけることができる。この場合は、当該クイズ番組中は数字キーで数字を入力して回答することができる（その反面、数字キーで選局することはできなくなる）。このようなキーの制御は、上記ＢＭＬ文書の要素の一つである、＜ｕｓｅｄ−ｋｅｙ−ｌｉｓｔ＞特性を定義することによって実現することができる（例えば、非特許文献１）。
【非特許文献１】ＡＲＩＢ規格  ＴＲ−Ｂ１４  ２．４版  第１分冊（２／２）  ３−１４１〜３−１４２ページ
【発明の開示】
【発明が解決しようとする課題】
【０００４】
しかしながら、上述したようなキーの限定をするかどうかは、放送局側の判断に任されていた。そのため、上記クイズ番組の場合であっても、必ずしも放送局側が全てのキーについて限定をするとは限らず、むしろ、キー限定をかけない場合も多々ある。例えば、上述のクイズ番組の場合、リモコンのカラーキーについてはキー限定をかけ、クイズ番組内で使用できるようにするが、数字キー等については、特にキー限定をかけない場合がある。このような場合は、視聴者が誤って数字キーを押してしまうと、チャンネルが切り替わってしまい、クイズに回答するチャンスを逃してしまうという問題がある。
【０００５】
それ故に、本発明の目的は、双方向番組において、放送局側で排他制御がかけられていないキーの入力を視聴者側で無効化設定することができるキー入力限定方法を提供することである。
【課題を解決するための手段】
【０００６】
上記目的を達成するために、本発明は以下のような構成を採用した。
【０００７】
第１の発明は、双方向番組を受信して再生する受信装置で用いられるキー入力限定方法であって、受信した双方向番組の放送波から番組情報を取得する番組情報取得ステップと、番組情報を解析して、再生される双方向番組において排他的に用いられる番組使用キーの情報を取得する限定キー取得ステップと、番組使用キー以外の入力キーを無効化するか否かを利用者からの入力に基づいて判定する限定確認ステップと、限定確認ステップにおいて番組使用キー以外の入力キーを無効化すると判定されたとき、当該番組使用キー以外の入力キーの入力を無効化する無効化ステップとを備える、キー入力限定方法である。
【０００８】
第２の発明は、上記第１の発明において、番組が終了したときに、無効化ステップにおいて無効化されたキーの無効化を解除する自動キー限定解除ステップを更に備える。
【０００９】
第３の発明は、上記第１の発明において、番組が終了する前に、無効化ステップにおいて無効化されたキーの無効化を任意のタイミングで解除するための任意キー限定解除ステップを更に備える。
【００１０】
第４の発明は、上記第１の発明において、番組が終了する前に、無効化ステップにおいて無効化されたキーの無効化を任意のタイミングで解除するための任意キー限定解除ステップと、番組が終了したときに、無効化ステップにおいて無効化されたキーの無効化を解除する自動キー限定解除ステップとを更に備える。
【００１１】
第５の発明は、上記第３または第４の発明において、任意キー限定解除ステップは、入力キーのうち所定のキーが一定時間以上継続して押し続けられたときに、無効化されたキーの無効化を解除する。
【発明の効果】
【００１２】
上記第１の発明によれば、双方向番組において、視聴者の誤操作による番組参加機会の喪失を防ぐことができる。
【００１３】
上記第２の発明によれば、番組終了時に無効化されたキーの入力を解除することができるため、利便性を高めることができる。
【００１４】
上記第３の発明によれば、番組視聴途中であっても、視聴者の任意で、無効化されたキーの入力を解除することができ、利便性を高めることができる。
【００１５】
上記第４の発明によれば、番組視聴途中であっても、無効化されたキーの入力を解除することができ、また、番組終了時においても、無効化されたキーの入力を自動的に解除することができる。そのため、利便性を更に高めることが可能となる。
【００１６】
上記第５の発明によれば、簡単な操作でキー入力の無効化を解除することができ、操作性を高めることができる。
【発明を実施するための最良の形態】
【００１７】
以下、本発明の実施の形態について、図面を参照して説明する。尚、この実施例により本発明が限定されるものではない。
【００１８】
（第１の実施形態）
図１は、本発明の第１の実施形態に係る受信装置１の構成を示した図である。図１において、受信装置１は、番組情報受付部２とキー限定確認部３と、問い合わせメッセージ表示部４と、キー受付部５と、キー無効化部６と、リモコン７とで構成される。
【００１９】
番組情報受付部２は、放送局から送信されるモジュールを受信し、ＢＭＬ文書やナノメディア等のデータ放送番組の構成要素に復調する。
【００２０】
キー限定確認部３は、上記ＢＭＬ文書を解析し、番組側で排他使用されるキー（以下、番組使用キーと呼ぶ）を識別する。また、番組使用キーについての情報を、キー無効化部６に出力する。
【００２１】
問い合わせメッセージ表示部４（以下、単に表示部と呼ぶ）は、視聴者に対して、キー限定を行うかどうかの問い合わせ画面をＯＳＤ（オンスクリーンディスプレイ）で表示する。
【００２２】
キー受付部５は、リモコン７からの各キーの入力信号を受け付ける。
【００２３】
キー無効化部６は、キー受付部５に対して、上記番組使用キー以外のリモコン７のキーについて、その入力を無効化するための制御を行う。
【００２４】
リモコン７は、視聴者が受信装置１に対して各種操作を行うためのものある。
【００２５】
また、受信装置１は、図示しない再生部によって、番組情報受付部２が復調した上記番組の構成要素から番組を再生する。なお、再生のための処理については、本発明と直接関連しないため、詳細な説明は省略する。
【００２６】
次に、本実施形態に係る受信装置１の動作概要を説明する。ここでは、受信する双方向番組の一例としてクイズ番組を想定する。そして、第１問目ではリモコンのカラーキーを使って回答し、第２問目では数字キーを使って回答する場合を例として説明する。ここで、上述した放送局からデータカルーセル方式で送られてくるモジュールにはバージョン番号が振られている。例えば、第１問目の内容が含まれているモジュールと第２問目の内容が含まれるモジュールとでは、そのバージョン番号が異なる。そのため、当該バージョン番号が更新されているかどうかを判別することで、番組内容の変化（番組の進行具合）を識別することが可能である。
【００２７】
まず、受信装置１は、放送局から送られてくるモジュール（第１問目の内容）を受信する。そして、このモジュールに含まれているＢＭＬ文書を解析し、その内容を画面に表示する。このとき、ＢＭＬ文書内の＜ｕｓｅｄ−ｋｅｙ−ｌｉｓｔ＞の記述を参照し、当該第１問目の回答には、リモコンのカラーキーが用いられることを識別する。次に、当該カラーキー以外のキーの入力を無効化するか否かの問い合わせを画面に表示する。この問い合わせに対し、視聴者が無効化することを選択すれば、受信装置１は、上記カラーキー以外のキーの入力を無効化する制御を行う。このようにすれば、第１問目の回答中に、誤って数字キーを押しても、他局を選局してしまうこと等を防ぐことができる。そして、第１問目が終わり、第２問目に進めば、上記送られてくるモジュールのバージョンが変わる。そのため、受信装置１は、モジュールのバージョンが変わったタイミングで、上記のような処理を、当該クイズ番組が終了するまで繰り返す。
【００２８】
なお、上記＜ｕｓｅｄ−ｋｅｙ−ｌｉｓｔ＞で定義し得る値としては、「ｂａｓｉｃ（矢印キー、決定キー、戻るキー）」、「ｄａｔａ−ｂｕｔｔｏｎ（カラーキー、ブックマークキー）」、「ｎｕｍｅｒｉｃ（数字選局キー）」、「ｏｔｈｅｒ（選局関連キー：チャンネルアップダウンキーやワンタッチ選局ボタン）」の４種類が規定されている。そのため、リモコン７上の電源キー等の一部のキーは、当該＜ｕｓｅｄ−ｋｅｙ−ｌｉｓｔ＞による排他制御の対象外となっている。
【００２９】
以下、図２〜図４を用いて、本実施形態におけるキー限定処理の詳細を説明する。図２は、第１の実施形態に係るキー限定処理の詳細を示すフローチャートである。
【００３０】
図２において、まず、番組情報受付部２は、放送局から送られてくるモジュールを取得する（ステップＳ１）。次に、番組情報受付部２は、取得したモジュールのバージョンが更新されているか否かを判定する（ステップＳ２）。より具体的には、取得したモジュールのバージョン番号と、後述のステップＳ７において図示しないメモリに退避されているバージョン番号とが一致するか否かを判定し、一致していないときに、モジュールのバージョンが更新されていると判定する。
【００３１】
モジュールのバージョンが更新されていない場合は（ステップＳ２でＮＯ）、ステップＳ５に処理を進める。一方、更新されていれば（ステップＳ２でＹＥＳ）、番組情報受付部２は、キャンセルフラグがオンであるかどうかを判定する（ステップＳ３）。このキャンセルフラグは、上述の概要説明で述べたようなキー無効化の問い合わせメッセージの結果、視聴者が無効化を望まない旨の返答を返した場合、その番組内では、もはや無効化の処理を行わないようにするためのフラグである。従って、キャンセルフラグがオン（ステップＳ３でＹＥＳ）であれば、そのまま、番組が終了時刻になったか否かの判定（ステップＳ５）に処理を進める。
【００３２】
一方、ステップＳ３の判定の結果、キャンセルフラグがオフであれば（ステップＳ３でＮＯ）、無効化処理（ステップＳ４）に処理を進める。図３は、上記ステップＳ４で示した無効化処理の詳細を示すフローチャートである。図３において、まず、キー限定確認部３は、上記受信したモジュールに含まれるＢＭＬ文書を解析する（ステップＳ１１）。
【００３３】
次に、キー限定確認部３は、ＢＭＬ文書内に＜ｕｓｅｄ−ｋｅｙ−ｌｉｓｔ＞の定義があるか否かを判定する（ステップＳ１２）。例えば、当該ＢＭＬ文書内の＜ｕｓｅｄ−ｋｅｙ−ｌｉｓｔ＞特性の記述に”ｎｕｍｅｒｉｃ”と指定されていた場合は、数字キーが番組使用キーとして、当該ＢＭＬ文書（番組）で排他的に用いられることが示されている。ステップＳ１２の判定の結果、何の定義も無ければ（ステップＳ１２でＮＯ）、そのまま無効化処理を終了する。一方、＜ｕｓｅｄ−ｋｅｙ−ｌｉｓｔ＞に何らかの定義があれば（ステップＳ１２でＹＥＳ）、キー限定確認部３は、図４に示すような、番組に関連したキー操作のみに限定するか否かについての問い合わせメッセージを表示部４に表示させる（ステップＳ１３）。
【００３４】
図４に示すメッセージが表示されれば、視聴者は、リモコン７を用いて、当該メッセージに対して返答を返す。例えば、図４のようなメッセージの場合、視聴者は、キーの限定を行いたいときは、「はい」を選び、行いたくないときは、「いいえ」を選ぶ。
【００３５】
次に、キー受付部５は、視聴者の返答にかかる入力信号を取得し、キー無効化部６に出力する。キー無効化部６は、利用者の返答がキーの限定、すなわち、番組使用キー以外のキーの無効化を選択する旨であるか否かを判定する（ステップＳ１４）。その結果、無効化が選択されていれば（ステップＳ１４でＹＥＳ）、上記番組使用キー以外のキーについて、その入力の無効化を行う。具体的には、キー限定確認部３から出力された番組使用キーの情報を参照し、キー受付部５に対して、上記番組使用キー以外のキーの入力信号がリモコン７から送られてきても反応しないような設定を行う（但し、電源キー等の、＜ｕｓｅｄ−ｋｅｙ−ｌｉｓｔ＞での定義対象外となる一部のキーについては除く）。一方、視聴者への問い合わせの結果、無効化が選択されなければ（ステップＳ１４でＮＯ）、キャンセルフラグをオンにする（ステップＳ１６）。このとき、既に無効化されているキーがあれば、その無効化を解除しておく。以上で、無効化処理は終了する。
【００３６】
図２に戻り、無効化処理が終了すれば、受信装置１は、番組が終了時刻になったかどうかを判定する（ステップＳ５）。当該終了時刻についての情報が、番組情報受付部２を介して事前にＥＰＧなどから取得しておく。その結果、番組がまだ終了してなければ（ステップＳ５でＮＯ）、ステップＳ１で取得したモジュールのバージョン番号を図示しないメモリに退避し（ステップＳ７）、上記ステップＳ１に戻って処理を繰り返す。一方、番組が終了した場合は、受信装置１は、キャンセルフラグをオフにする（ステップＳ６）。以上で、第１の実施形態にかかるキー限定処理は終了する。
【００３７】
このように、第１の実施形態では、番組側で排他制御のかけられていないキーについて、ユーザ側で無効化することにより、例えば、クイズ番組で回答のチャンスを逃してしまうといったような、誤操作による双方向番組への参加機会の喪失を防ぐことができる。
【００３８】
（第２の実施形態）
次に、図５から図６を参照して、本発明の第２の実施形態について説明する。第２の実施形態では、無効化したキー（番組使用キー以外のキー）を番組終了時に自動的に使用可能にする制御が行われる。
【００３９】
図５は、本発明の第２の実施形態に係る受信装置２０の構成を示したブロック図である。当該実施形態に係る受信装置２０は、上述した第１の実施形態で図１を用いて説明した受信装置１の機能構成に自動キー限定解除部８を加えたものに相当し、他の構成部は、第１の実施形態と同様である。従って、自動キー限定解除部８以外の構成部については同一の参照符号を付して詳細な説明を省略する。
【００４０】
図５において、自動キー限定解除部８は、番組情報受付部２から番組終了時刻の情報を受け取り、番組終了時に無効化が設定されたキーの無効化解除を行う。上記のような構成で、受信装置２０は、上記図２で示したのと同様の処理を行うが、番組終了時の処理（図２のステップＳ５でＹＥＳ）のときに、無効化の解除処理が行われる。具体的には、自動キー限定解除部８は、キー受付部５に対して、無効化の解除を行い、それまで受け付けないようにしていた入力信号の受け付けが可能となるようにする。また、ステップＳ１３で表示されるメッセージについては、図６に示すように、番組終了時に自動解除される旨が加わったメッセージが表示される。
【００４１】
このように、第２の実施形態では、番組終了と同時に、リモコン７の操作状態を通常使用時の状態に戻すことができる。
【００４２】
（第３の実施形態）
次に、図７から図８を参照して、本発明の第３の実施形態について説明する。第３の実施形態では、無効化したキーについて、番組の途中であっても視聴者が任意で無効化を解除できるような制御を行う。
【００４３】
図７は、本発明の第３の実施形態に係る受信装置３０の構成を示したブロック図である。当該実施形態に係る受信装置３０は、上述した第１の実施形態で図１を用いて説明した受信装置１の機能構成に任意キー限定解除部９を加えたものに相当し、他の構成部は、第１の実施形態と同様である。従って、任意キー限定解除部９以外の構成部については同一の参照符号を付して詳細な説明を省略する。
【００４４】
任意キー限定解除部９は、リモコン７の電源キーが３秒以上押しつづけられたときに、当該リモコン７のキーにかけられている無効化を解除する。上記のような構成で、受信装置３０は、上記第１の実施形態の図２で示した処理と同様の処理を行う。但し、番組視聴中であっても、任意キー限定解除部９は、電源キーが３秒以上押し続けられたかどうかを随時検出する。そして、番組中にキー受付部５を介して電源キーが３秒以上押し続けられたことを検出したときは、キー受付部５に対して、無効化していたキーの入力信号を受け付け可能にすることで無効化を解除する。また、本実施形態では、ステップＳ１３で表示されるメッセージについて、図８に示すように、任意解除が可能な旨が加わったメッセージが表示される。
【００４５】
このように、第３の実施形態では、視聴者が番組視聴中、無効化を解除したいときに、キーの無効化を解除することが可能となり、利便性を高めることができる。
【００４６】
（第４の実施形態）
次に、図９から図１０を参照して、本発明の第４の実施形態について説明する。第４の実施形態は、上記第２の実施形態と第３の実施形態とを組み合わせたものである。すなわち、番組視聴中であっても視聴者は任意でキーの無効化を解除できる。また、番組終了時にも、自動的に無効化の解除が行われる。
【００４７】
図９は、本発明の第４の実施形態に係る受信装置４０の構成を示したブロック図である。当該実施形態に係る受信装置４０は、上述した第１の実施形態で図１を用いて説明した受信装置１の機能構成に上記自動キー限定解除部８および上記任意キー限定解除部９を加えたものに相当し、他の構成部は、第１の実施形態と同様である。従って、これら構成部については同一の参照符号を付して詳細な説明を省略する。
【００４８】
上述のように、本実施形態は、上記第２および第３の実施形態を組み合わせたものである。つまり、番組中に番組使用キー以外のキーの無効化を行っても、任意キー限定解除部９によって、視聴者の意思で無効化を解除できる。また、番組終了時には、自動キー限定解除部８によって、自動的に解除される。また、第４の実施形態では、ステップＳ１３で表示されるメッセージとして、図１０に示すように、限定されたキーは番組終了時に自動解除される旨と、番組途中でも任意解除が可能な旨とが加わったメッセージが表示される。
【００４９】
このように、第４の実施形態では、番組途中に、番組使用キー以外のキーの無効化を行ったときでも、視聴者は、番組視聴中に当該無効化を解除したいときに解除することが可能となる。更に、番組終了時にも、自動的にキーの無効化が解除される。これにより、利便性を更に高めることができる。
【産業上の利用可能性】
【００５０】
本発明にかかるキー入力限定方法は、視聴者の誤操作による双方向番組への参加機会の喪失を防ぐことができ、デジタル放送対応テレビやデジタル放送が視聴可能な携帯電話等の用途に有用である。
【図面の簡単な説明】
【００５１】
【図１】本発明の第１の実施形態に係る受信装置を示す機能ブロック図
【図２】本発明の第１の実施形態に係るキー限定処理を示すフローチャート
【図３】図２のステップＳ４で示した無効化処理の詳細を示すフローチャート
【図４】キー限定の問い合わせメッセージの一例
【図５】本発明の第２の実施形態に係る受信装置を示す機能ブロック図
【図６】第２の実施形態に係るキー限定の問い合わせメッセージの一例
【図７】本発明の第３の実施形態に係る受信装置を示す機能ブロック図
【図８】第３の実施形態に係るキー限定の問い合わせメッセージの一例
【図９】本発明の第４の実施形態に係る受信装置を示す機能ブロック図
【図１０】第４の実施形態に係るキー限定の問い合わせメッセージの一例
【符号の説明】
【００５２】
１    受信装置
２    番組情報受付部
３    キー限定確認部
４    問い合わせメッセージ表示部
５    キー受付部
６    キー無効化部
７    リモコン
８    自動キー限定解除部
９    任意キー限定解除部
２０  受信装置
３０  受信装置
４０  受信装置
【図１】
2007266859.tif 000003
【図２】
2007266859.tif 000004
【図３】
2007266859.tif 000005
【図４】
2007266859.tif 000006
【図５】
2007266859.tif 000007
【図６】
2007266859.tif 000008
【図７】
2007266859.tif 000009
【図８】
2007266859.tif 000010
【図９】
2007266859.tif 000011
【図１０】
2007266859.tif 000012